(57)【要約】【課題】  剛性が高く、耐震動性に優れた指針を備えた指針式計器装置を提供する。【解決手段】  指針式計器装置１は、表示器２と、表示器２の周囲を回動する指針３と、指針３に指示される指標部４ｂを有する表示板４と、表示器２の後方に配置され指針３を回動させる主軸５ａを有する駆動本体５と、を備えている。指針３は、駆動本体５の前記主軸５ａに固定されるアーム部３ａと、指標部４ｂを指示する指示部３ｂと、を有する。アーム部３ａと指示部３ｂとは一体に形成されると共に、アーム部３ａと指示部３ｂとの境界は、表示板４よりも前方に位置している。アーム部３ａと指示部３ｂとは別材料からなり、アーム部３ａは指示部３ｂよりも硬度が大きい。【選択図】  図１
2010032449.tif 000002
【特許請求の範囲】
【請求項１】
表示器と、前記表示器の周囲を回動する指針と、前記指針に指示される指標部を有する表示板と、前記表示器の後方に配置され前記指針を回動させる主軸を有する駆動本体と、を備えた指針式計器装置であって、
前記指針は、前記駆動本体の前記主軸に固定されるアーム部と、前記指標部を指示する指示部と、を有し、
前記アーム部と前記指示部とは一体に形成されると共に、前記アーム部と前記指示部との境界は、前記表示板よりも前方に位置していることを特徴とする指針式計器装置。
【請求項２】
前記アーム部と前記指示部とは別材料からなり、前記アーム部は前記指示部よりも硬度が大きいことを特徴とする請求項１に記載の指針式計器装置。
【請求項３】
前記指針に搭載され前記指示部を発光させる光源を備えると共に、前記指針は、前記表示板の第一の表示領域において前記光源から発せられた第一の照明光によって発光し、前記表示板の第二の表示領域において前記表示器から発せられた第二の照明光によって発光することを特徴とする請求項１に記載の指針式計器装置。
【請求項４】
前記表示器は、前記第一の表示領域を照明する第一の発光素子と、前記第二の表示領域を照明する第二の発光素子と、を有することを特徴とする請求項３に記載の指針式計器装置。
【発明の詳細な説明】
【技術分野】
【０００１】
本発明は、指針と表示板とを備えた指針式計器装置に関するもので、特に前記指針の回動中心に表示器を備えた指針式計器装置に関する。
【背景技術】
【０００２】
従来より、種々の指針式計器装置が提案され、例えば特許文献１に開示されている。斯かる指針式計器装置は、表示板と、この表示器の周囲を移動すると共に表示板を指示する指針と、表示器の後面側に配置された駆動本体を有するものであり、表示板の目盛（指標部）より指針の回転中心側に液晶ディスプレイ等の表示器を備えている。前記指針は、透光性樹脂からなるものであり、駆動本体によって回動される。
【特許文献１】特開２００８−１４９３１号公報
【発明の開示】
【発明が解決しようとする課題】
【０００３】
しかしながら、上記指針式計器装置は、指針の剛性が高くないため、耐振動性が低いという問題を有していた。斯かる問題を解決するために、例えば、指針全体を太くして、指針の剛性を向上させることが考えられるが、指針の慣性モーメントが大きくなり、応答性が低下する虞があるため、指針の幅を大きくすることは好ましくない。
本発明は、この問題に鑑みなされたものであり、剛性が高く、耐震動性に優れた指針を備えた指針式計器装置を提供するものである。
【課題を解決するための手段】
【０００４】
本発明は、請求項１に記載したように、表示器２と、前記表示器２の周囲を回動する指針３と、前記指針３に指示される指標部４ｂを有する表示板４と、前記表示器２の後方に配置され前記指針３を回動させる主軸５ａを有する駆動本体５と、を備えた指針式計器装置１であって、前記指針３は、前記駆動本体５の前記主軸５ａに固定されるアーム部３ａと、前記指標部４ｂを指示する指示部３ｂと、を有し、前記アーム部３ａと前記指示部３ｂとは一体に形成されると共に、前記アーム部３ａと前記指示部３ｂとの境界は、前記表示板４よりも前方に位置しているものです。
【０００５】
また、本発明は、請求項２に記載したように、前記アーム部３ａと前記指示部３ｂとは別材料からなり、前記アーム部３ａは前記指示部３ｂよりも硬度が大きいものです。
【０００６】
また、本発明は、請求項３に記載したように、前記指針３に搭載され前記指示部３ｂを発光させる光源７を備えると共に、前記指針３は、前記表示板４の第一の表示領域Ｓ１において前記光源７から発せられた第一の照明光によって発光し、前記表示板４の第二の表示領域Ｓ２において前記表示器２から発せられた第二の照明光によって発光するものです。
【０００７】
また、本発明は、請求項４に記載したように、前記表示器２は、前記第一の表示領域Ｓ１を照明する第一の発光素子１１と、前記第二の表示領域Ｓ２を照明する第二の発光素子１２と、を有するものです。
【発明の効果】
【０００８】
アーム部と指示部とを一体形成すると共に、アーム部と指示部との境界を表示板よりも前方に位置させることによって、指針の剛性が高くなり、耐震動性が向上する。
【発明を実施するための最良の形態】
【０００９】
以下、添付図面に基づいて、本発明の一実施形態を説明する。指針式計器装置１は、表示器２と、指針３と、表示板４と、駆動本体５と、回路基板６とで主に構成されている。
【００１０】
表示器２は、支持部材８上に配置された導光体９，１０，発光素子１１，１２及び表示素子１３を備えている。導光体９は、光を透過可能な合成樹脂からなり、発光素子１１の光を表示素子１３及び表示板４の背後に導くものである。導光体１０は、光を透過可能な合成樹脂からなり、発光素子１２の光にて表示板４の第二の表示領域Ｓ２を照明するものである。発光素子１１は、白色にて発光する発光ダイオードからなるものであり、導光体９の側端面に光を照射する。発光素子１２は、赤色にて発光する発光ダイオードからなるものであり、導光体１０の側端面に光を照射する。表示素子１３は、透過照明型の液晶表示素子からなるものであり、導光体９を介して照射される発光素子１１の光によって透過照明される。
【００１１】
指針３は、アーム部３ａと指示部３ｂとから構成されている。アーム部３ａは、弾性率５０００ＭＰａ以上のＰＣ（ポリカーボネート）強化グレードからなり、駆動本体５の主軸５ａと指示部３ｂとを連結するものである。指示部３ｂは、弾性率２０００ＭＰａ前後のＰＣ透光性グレードからなる。指示部３ｂは、表示板４の指標部４ｂを指示するものであり、指針３の先端部およびその近傍を構成するものである。アーム部３ａと指示部３ｂとは一体に成形されている。
【００１２】
指示部３ｂの後端部には、白色にて発光する発光ダイオードからなる光源７が配設されており、この光源７の光によって指示部３ｂが発光する。また、アーム部３ａと主軸５ａとは、アーム部３ａに設けたボス部３ｃに主軸５ａを圧入して固定してある。アーム部３ａと指示部３ｂとの境界は、表示板４よりも前方に位置している。指針３は、表示板４の第一の表示領域Ｓ１では、光源７から発せられた照明光によって白色にて発光し、第二の表示領域Ｓ２では、表示器２の発光素子１２から発せられた照明光によって赤色にて発光する。
【００１３】
表示板４は、光を透過可能な合成樹脂からなる。表示板４は平板状であり、その中央部に表示素子１３が露出する窓部４ａを備えている。本実施形態では、窓部４ａは貫通した孔であるが、例えば、表示板４を透明な合成樹脂から形成し、窓部４ａに相当する部分を除いて遮光性の塗料を塗布し、窓部４ａが透明な部材で覆われたものであってもよい。
【００１４】
本実施形態では、表示板４は、環状であり、その環状内に表示素子１３が位置している。表示板４の表面には遮光性の塗料からなる遮光層を備えている。この遮光層が、いわゆる表示板４の地の部分となる。また、表示板４の表面には、目盛からなる指標部４ｂが設けられている。この指標部４ｂは、表示素子１３の周囲に位置している。本実施形態では、指標部４ｂは、前記遮光層を抜いて形成したものである。指標部４ｂは、表示板４の背後からの照明光によって、透過照明される。
【００１５】
駆動本体５は、交差コイル式のムーブメントやステッピングモータなどが好適であり、前述した主軸５ａを介して、指針３を駆動するものである。回路基板６は、硬質の回路基板であり、例えば、基材にガラスエポキシ樹脂を用いている。また、その表面や裏面などには、銅などの導電材料からなる図示しない配線パターンが設けられている。
【００１６】
本実施形態の如く、指針３のアーム部３ａと指示部３ｂとを一体形成すると共に、アーム部３ａと指示部３ｂとの境界を表示板４よりも前方に位置させたことにより、指針３の剛性が高くなり、耐震動性が向上させることができる。
【図面の簡単な説明】
【００１７】
【図１】本発明の実施形態を示す指針式計器装置の断面図。
【図２】同上実施形態を示す指針式計器装置の正面図。
【符号の説明】
【００１８】
１    指針式計器装置
２    表示器
３    指針
３ａ  アーム部
３ｂ  指示部
４    表示板
４ｂ  指標部
５    駆動本体
５ａ  主軸
７    光源
１１    発光素子（第一の発光素子）
１２    発光素子（第二の発光素子）
Ｓ１    第一の表示領域
Ｓ２    第二の表示領域
【図１】
2010032449.tif 000003
【図２】
2010032449.tif 000004